(57)【要約】
【課題】  ノズルを用いて缶本体内の液体燃料を安全、かつ確実に液体燃料タンクへ給油できる液体燃料携行缶を提案しようとするものである。
【解決手段】  液体燃料携行缶１は、缶本体２に係止部9a及び9bを備えたことにより当該係止部9a及び9bにノズル３を予め設けておくことができるので、缶本体２を携行する際にノズル３を携行し忘れることを未然に防止でき、かくしてノズル３を用いて缶本体２内の液体燃料を安全、かつ確実に液体燃料タンクへ給油できる。
【選択図】        図１
0003101253.tif 000002
【実用新案登録請求の範囲】
【請求項１】
缶本体と当該缶本体の給油口に装着可能なノズルとを有する液体燃料携行缶において、前記缶本体に備えた係止部を介して前記缶本体に前記ノズルを着脱自在に設けることを特徴とする液体燃料携行缶。
【請求項２】
前記缶本体には、前記給油口に嵌合して当該缶本体を密閉する給油蓋を備え、前記ノズルには、前記給油蓋と係合して前記給油口から当該給油蓋を着脱可能な係合部を有することを特徴とする請求項１記載の液体燃料携行缶。
【請求項３】
前記缶本体は側面外周に接合面を有し、前記係止部は、前記接合面上に備え、当該接合面の外形線の内側に納まるように形成することを特徴とする請求項１又は２記載の液体燃料携行缶。
【請求項４】
前記係止部は、前記ノズル全体を収納するノズル収納部と、前記ノズル収納部に収納した前記ノズルを係止して脱落を防止する脱落防止ストッパとを具えることを特徴とする請求項１から３のうちいずれか１項記載の液体燃料携行缶。
【請求項５】
前記ノズル収納部は、当該ノズル収納部の形状に応じて前記缶本体に形成された凹部に備えられていることにより、前記ノズルが前記缶本体の外形線の内側に納まることを特徴とする請求項４記載の液体燃料携行缶。
【考案の詳細な説明】
【技術分野】
【０００１】
この考案は、例えば、出かけ先で車や船舶などの液体燃料タンクにガソリンや灯油或いは石油など液体燃料を補給する液体燃料携行缶に関するものである。
【背景技術】
【０００２】
従来、液体燃料携行缶は、引火、爆発の危険性が非常に高いガソリンや灯油或いは石油など液体燃料を携行するため、その取り扱いについて注意が必要となる。
【０００３】
特に液体燃料携行缶から車などの液体燃料タンクへ液体燃料を給油する際には、安全性を考慮して必ず缶本体の給油口にノズルを装着し、このノズルを介して確実に液体燃料タンクへ液体燃料を給油している。
【考案の開示】
【考案が解決しようとする課題】
【０００４】
しかしながらかかる構成の液体燃料携行缶は、缶本体とは別にノズルを携行する必要があるため、缶本体を携行する際にノズルを携行し忘れることもあり、この場合、缶本体内の液体燃料を安全に液体燃料タンクへ給油できないという問題があった。
【０００５】
そこで本考案は以上の点を考慮してなされたもので、ノズルを用いて缶本体内の液体燃料を安全、かつ確実に液体燃料タンクへ給油できる液体燃料携行缶を提案しようとするものである。
【課題を解決するための手段】
【０００６】
上記目的を達成するために、この考案の請求項１では、缶本体と当該缶本体の給油口に装着可能なノズルとを有する液体燃料携行缶において、前記缶本体に備えた係止部を介して前記缶本体に前記ノズルを着脱自在に設けるようにした。
【０００７】
請求項２では、前記缶本体には、前記給油口に嵌合して当該缶本体を密閉する給油蓋を備え、前記ノズルには、前記給油蓋と係合して前記給油口から当該給油蓋を着脱可能な係合部を有するようにした。
【０００８】
請求項３では、前記缶本体は側面外周に接合面を有し、前記係止部は、前記接合面上に備え、当該接合面の外形線の内側に納まるように形成するようにした。
【０００９】
請求項４では、前記係止部は、前記ノズル全体を収納するノズル収納部と、前記ノズル収納部に収納した前記ノズルを係止して脱落を防止する脱落防止ストッパとを具えるようにした。
【００１０】
請求項５では、前記ノズル収納部は、当該ノズル収納部の形状に応じて前記缶本体に形成された凹部に備えられていることにより、前記ノズルが前記缶本体の外形線の内側に納まるようにした。
【考案の効果】
【００１１】
請求項１の考案によれば、缶本体に備えた係止部にノズルを予め設けておくことができるので、缶本体を携行する際にノズルを携行し忘れることを未然に防止でき、かくしてノズルを用いて缶本体内の液体燃料を安全、かつ確実に液体燃料タンクへ給油できる。
【００１２】
請求項２の考案によれば、ノズルの係合部を給油蓋に係合させて当該給油蓋を着脱可能にしたことにより、缶本体にノズルを予め設けておくだけで確実に給油蓋を取り外すことができ、かくしてノズルを用いて缶本体内の液体燃料を安全に液体燃料タンクへ給油できる。
【００１３】
請求項３の考案によれば、ノズルが接合面の外形線の内側に納まり突出することがないので、ノズルが缶本体の携行の妨げとならず、またノズルを痛めずに携行できる。
【００１４】
請求項４の考案によれば、ノズル全体をノズル収容部に収納できるので、ノズルに液体燃料が付着していても、当該付着した液体燃料が他に付着することがないため安全に携行でき、また携行する際にノズルが痛むことを確実に防止できる。
【００１５】
請求項５の考案によれば、ノズルがノズル収納部に収納され外部に突出することがないので、当該ノズルが缶本体の携行の妨げとならず、また複数の缶本体を車に積載したりする際に、ノズルが痛むことを気にせずに各缶本体を互いに密着して効率よく並べることができる。
【考案を実施するための最良の形態】
【００１６】
以下図面を用いて、本考案の一実施の形態を詳述する。
【実施例１】
【００１７】
図１及び図２において、１は全体として本考案による液体燃料携行缶を示し、鋼材でなる容器部材を上下に接合させた角型の缶本体２と、ポリエチレンなどの合成樹脂でなるフレキシブル構造のノズル３とを有する。
【００１８】
缶本体２は、その上面2Aに保持部４と、缶本体２内の空気を排気するための空気口５と、当該空気口５の対角線上に給油口６とが設けられており、当該給油口６を介して缶本体２内へガソリンなど液体燃料（図示せず）を充填し得、当該給油口６に給油蓋７がねじ込まれて嵌合されると共に、当該空気口５に空気蓋８がねじ込まれて嵌合されることにより缶本体２を確実に密閉し得るようになされている。
【００１９】
また缶本体２は、その側面外周に接合面2Cを有し、長手方向の側面2Bにある接合面2C上に係止部9a及び9bを備え、これにより係止部9a及び9bを介して缶本体２にノズル３が着脱自在に設けられている。
【００２０】
実際上、各係止部9a及び9bは、板材でなり、その一端部が接合面2Cにボルトなどで螺設され、その後側面2Bに沿って伸び、他端部が接合面2Cの上方位置において湾曲するようにして形成されている。
【００２１】
これにより係止部9a及び9bは、缶本体２の側面2Bとの間にノズル２が嵌め込まれることにより当該ノズル３が缶本体２から脱落しないように係止する。
【００２２】
このとき係止部9a及び9bは、その他端部が接合面2Cの外形線の内側に納まるように形成されていることにより、ノズル３が接合面2Cの外形線の内側に納まるように係止するようになされている。
【００２３】
ノズル３は、図３に示すように、ノズル本体部10の一端に金属材料でほぼ円筒形状の接続部11が設けられていると共に、当該接続部11の外周側面に給油口６に螺合したねじ溝が形成されていることにより、当該接続部11を介して缶本体２の給油口６に装着可能な構成を有する。
【００２４】
また接続部11には、開口端の直径位置に、内側から突出するようにして板材の係合部12を有する。
【００２５】
この係合部12は、ほぼ有低円筒状の給油蓋７の内側側面に設けられた係合部材13a及び13bに係合し得るようになされており、当該係合部材13a及び13bと係合させた状態で当該給油蓋７を確実に回転可能な構成を有する。
【００２６】
また係合部12は、空気蓋８に形成された帯状の溝14（図２）にも係合し得るようになされており、当該溝14に係合させた状態で空気蓋８を確実に回転可能な構成を有する。
【００２７】
以上の構成において、液体燃料携行缶１は、缶本体２の側面2Bと係止部9a及び9bとの間にノズル３を予め係止させておくことにより、缶本体２を携行する際にノズル３を携行し忘れることを未然に防止できる。
【００２８】
またノズル３は、係止部9a及び9bから取り外ずされて、当該ノズル３の係合部12を給油蓋７の係合部材13a及び13bに係合させ、この状態でノズル３が回転されることにより、給油蓋７を給油口６にねじ込んで確実に嵌合させて缶本体２を密閉でき、またノズル３がねじ込む方向と逆の方向に回転されることにより、給油蓋７を容易に給油口６から取り外すことができる。
【００２９】
さらにノズル３は、ノズル３の係合部12を空気蓋８の溝14に係合させ、この状態でノズル３が回転されることにより、空気蓋８を空気口５にねじ込んで嵌合させることができ、またノズル３がねじ込む方向と逆の方向に回転されることにより、空気蓋８を容易に空気口５から取り外すことができる。
【００３０】
そして、図４に示すように、ノズル３は、接続部11を給油口６にねじ込むことにより缶本体２に装着できる。
【００３１】
以上の構成によれば、液体燃料携行缶１は、缶本体２に係止部9a及び9bを備えたことにより当該係止部9a及び9bにノズル３を係止させて予め設けておくことができるので、缶本体２を携行する際にノズル３を携行し忘れることを未然に防止でき、かくしてノズル３を用いて缶本体２内の液体燃料を安全、かつ確実に液体燃料タンクへ給油できる。
【００３２】
また液体燃料携行缶１は、ノズル３の係合部12を給油蓋７の係合部材13a及び13bに係合させて給油蓋７を着脱できるようにしたことにより、缶本体２にノズル３を予め設けておくだけで確実に給油蓋７を取り外すことができ、かくしてノズル３を給油口６に装着して缶本体２内の液体燃料を安全に液体燃料タンクへ給油できる。
【００３３】
そして係止部9a及び9bは、接合面2C上に設けられ、ノズル３を接合面2Cの外形線の内側に納まるように係止したことにより、ノズル３が缶本体２の携行の妨げとならず、またノズル３の外周側面を痛めずに携行できる。
【００３４】
また係止部9a及び9bは、接合面2Cにボルトなどで螺設されていることにより、缶本体２を構成する上下の容器部材を接合面2Cで一段と確実に密着固定できる。因みに、この場合、缶本体２の上面2Aなどにボルトなどの穴を穿設せずに係止部9a及び9bを設けることができるので缶本体２を確実に密閉でき、また溶接などを行わないため簡易な構成とできる。
【００３５】
なお上述した実施の形態のおいては、給油口６と空気口５とを設けた角型の缶本体２を適用するようにした場合について述べたが、本考案はこれに限らず、縦型の缶本体や、図１との対応部分に同一符号を付して示す図５（A）の液体燃料携行缶20のように、給油口６と空気口５との他に、当該給油口６に比べて大口径の第２の給油口21を上面2Aに設けた缶本体２など種々の形状の缶本体を適用するようにしても良い。
【００３６】
因みに、液体燃料携行缶20は、第２の給油口21と嵌合する第２の給油蓋22に係合部材23a及び23bが設けれており、これらに係合部12を係合させて第２の給油蓋22を着脱できるので、第２の給油口21を介して缶本体２内に液体燃料を充填すれば充填時間を短縮できる。
【００３７】
また上述した実施の形態においては、側面2Bに係止させた状態でノズル３が長手方向からその先端が突出するように選定されているが、本考案はこれに限らず、図５（A）に示したように、ノズル３の先端が突出しないようにノズル３又は缶本体２の長手方向を選定するようにしても良く、この場合、ノズル３の先端を痛めずに携行できる。
【００３８】
さらに上述した実施の形態においては、缶本体２における長手方向側面2Bの接合面2C上に係止部9a及び9bを備えるようにして、缶本体側面2Bにノズル３を着脱自在に設けるようにした場合について述べたが、本考案はこれに限らず、缶本体２における幅方向側面の接合面2C上に係止部9a及び9bを備えるようにしたり、或いは図１との対応部分に同一符号を付して示す図５（Ｂ）の液体燃料携行缶30ように、缶本体２の上面2Aに係止部31a及び31bを備えるようにして、缶本体２の上面2Aにノズル３をＵ字状に着脱自在に設けるようにしても良い。
【００３９】
また図１との対応部分に同一符号を付して示す図５（Ｃ）の液体燃料携行缶40のように、本考案の係止部として、缶本体41の幅方向の側面41Dに鋼材でなる筒状のノズル収納部42と、例えばL字状でその一端側が軸受け部43を介して回転可能な構成を有する脱落防止ストッパ44とを備えるようにしても良い。
【００４０】
この場合、液体燃料携行缶40は、ノズル収納部42にノズル３が先端側から挿入されると、ノズル３の接続部11にノズル収納部端部42が当接し、この状態で脱落防止ストッパ44が回転されてノズル３を係止する。
【００４１】
このように液体燃料携行缶40は、ノズル３をノズル収納部42に収納可能にすることによりノズル３を着脱自在に設けることができ、この場合、当該ノズル３全体をノズル収容部42に収納できるので、ノズル３に液体燃料が付着していても、当該付着した液体燃料が他に付着することがないため安全に携行でき、また携行する際にノズル３が痛むことを確実に防止できる。
【００４２】
またノズル収納部42は、当該ノズル収納部42の形状に応じて缶本体41に形成された湾曲状の凹部41Eに備えられていることにより、ノズル３が缶本体41の外形線の内側に納まり外部に突出することがないので、そのノズル３が缶本体41の携行の妨げとならず、また複数の缶本体41を車に積載したりする際に、ノズル３が痛むことを気にせずに各缶本体41を互いに密着して効率よく並べることができる。
【００４３】
因みにこの脱落防止ストッパ44はノズル収納部42に収納したノズル３を係止できればＬ字状の他コ字状のものなど他の種々の形状のものを用いるようにしても良い。
【００４４】
また凹部41Eは、缶本体41の幅方向に形成する他、缶本体41の長手方向の側面41Bや接続面41Cなど他の種々の位置に形成するようにしても良い。
【実施例２】
【００４５】
図１との対応部分に同一符号を付して示す図６（Ａ）及び（Ｂ）のように、５０は全体として本考案による液体燃料携行缶を示し、鋼材でなり縦型の缶本体51と、ポリエチレンなどの合成樹脂でなるフレキシブル構造のノズル３とを有する。
【００４６】
缶本体51は、その上面51Aに保持部４と給油口６とが設けられており、当該給油口６を介して缶本体51内へ液体燃料を充填し得、チェーン52が付いた給油蓋７が当該給油口６にねじ込まれて嵌合されることにより缶本体51を確実に密閉し得るようになされている。
【００４７】
また缶本体51には、保持部４にチェーン53を介してリング状の係止部54を備え、これにより係止部54を介して缶本体51にノズル３が着脱自在に設けられている。
【００４８】
実際上、係止部54は、ノズル３の先端側から挿通されると接続部11で当接するように径が選定されていることにより、当該ノズル３が缶本体51から脱落しないように係止する。
【００４９】
以上の構成において、液体燃料携行缶50は、リング状の係止部54にノズル３を挿通して予め係止させておくことにより、缶本体51を携行する際にノズル３を携行し忘れることを未然に防止できる。
【００５０】
またノズル３は、缶本体51から取り外ずされて、当該ノズル３の係合部12を給油蓋７の係合部材13a及び13bに係合させ、この状態でノズル３が回転されることにより、給油蓋７を給油口６にねじ込んで確実に嵌合させて缶本体51を密閉でき、またノズル３がねじ込む方向と逆の方向に回転されることにより、給油蓋７を容易に給油口６から取り外すことができる。
【００５１】
そして、図６（Ｂ）に示したように、ノズル３は、接続部11を給油口６にねじ込むことにより缶本体51に装着できる。
【００５２】
以上の構成によれば、液体燃料携行缶50は、缶本体51にリング状の係止部54を備えたことにより当該係止部54にノズル３を係止させて予め設けておくことができるので、缶本体51を携行する際にノズル３を携行し忘れることを未然に防止でき、かくしてノズル３を用いて缶本体51内の液体燃料を安全、かつ確実に液体燃料タンクへ給油できる。
【００５３】
また、液体燃料携行缶50は、ノズル３の係合部12を給油蓋７の係合部材13a及び13bに係合させて給油蓋7を着脱できるようにしたことにより、缶本体51にノズル３を予め設けておくだけで確実に給油蓋７を取り外すことができ、かくしてノズル３を給油口６に装着して缶本体51内の液体燃料を安全に液体燃料タンクへ給油できる。
【００５４】
なお上述した実施の形態においては、縦型の缶本体51にリング状の係止部54を備えるようにした場合について述べたが、本考案はこれに限らず、横型など種々の形状の缶本体にリング状の係止部54を備えるようにしても良い。
【００５５】
また上述した実施例１及び実施例２の形態においては、鋼材でなる缶本体２、41及び51を適用するようにした場合について述べたが、本考案はこれに限らず、ポリエチレンなど硬質合成樹脂でなる缶本体を適用するようにして良い。
【図面の簡単な説明】
【００５６】
【図１】実施例１による液体燃料携行缶の全体構成（１）を示す略線的斜視図である。
【図２】実施例１による液体燃料携行缶の全体構成（２）を示す略線的斜視図である。
【図３】ノズル及び給油蓋の構成を示す略線的斜視図である。
【図４】缶本体にノズルを装着した状態を示す略線的斜視図である。
【図５】他の実施の形態による液体燃料携行缶の全体構成を示す略線的斜視図である。
【図６】実施例２による液体燃料携行缶の全体構成を示す略線的斜視図である。
【符号の説明】
【００５７】
１、20、30、40、50  液体燃料携行缶
２、51  缶本体
３  ノズル
9a、9b  31a  31b  係止部
13a、13b  係止部材
42  ノズル収納部
44  脱落防止ストッパ
【図１】
0003101253.tif 000003
【図２】
0003101253.tif 000004
【図３】
0003101253.tif 000005
【図４】
0003101253.tif 000006
【図５】
0003101253.tif 000007
【図６】
0003101253.tif 000008